(57)【特許請求の範囲】
【請求項１】
締結具打ち込み作動杆を設けた本体と、内部に締結具装填部が形成された打ち込みノーズとを備えており、前記打ち込みノーズに、複数本の締結具を連結具で保持しかつ連結具のうち隣り合った締結具の部分の側面に凹所が形成されている締結具連結体を前記打ち込みノーズの締結具装填部に向けて導入するシェアブロックが取り付けられており、更に、前記シェアブロックに、前記締結具連結体を前記打ち込みノーズの締結具装填部に順次送り込むマガジンが着脱自在に装着されており、
前記マガジンに装填した締結具連結体がシェアブロックを介して打ち込みノーズの締結具装填部に送り込まれることにより、前記打ち込み作動杆によって締結具が一本ずつ打ち込まれるようになっており、かつ、前記マガジンをシェアブロックから取り外した状態でも締結具連結体をシェアブロックに装填して締結具の打ち込みを行える、
という動力式打ち込み工具であって、
前記シェアブロックに、前記連結具における両側面の凹所に嵌まり係合する押圧片を、ばね手段に抗して後退動し得るように設けており、前記押圧片により、締結具連結体を送り込みできる状態でシェアブロックに保持できるようになっている、
動力式打ち込み装置。
【請求項２】
前記押圧片の先端は半球形になっている、
請求項１に記載した動力式打ち込み装置。
【発明の詳細な説明】
【０００１】
【発明の属する技術分野】
本発明は、例えば、特開平１１−１９８０６４号公報等に記載され、且つ、図１及び図２に示すように、釘又は頭付きピン等のような締結具２の複数本を合成樹脂製等の連結具３にて並列状に連結して成る締結具連結体１において、この締結具連結体１における釘等の各締結具２を一本ずつガスの燃焼圧力等の動力にて打ち込むための装置に関するものである。
【０００２】
【従来の技術】
この種の動力式打ち込み装置に関し、先行技術としての特開平１１−２７７４５９号公報は、複数本の釘等の締結具を並列状に連結した締結具連結体を、マガジンに装填し、このマガジンを、動力式打ち込み装置における打ち込みノーズの側面に対して着脱自在に装着するか、マガジンを打ち込みノーズに対して装着したのち、このマガジンに前記締結具連結体を装填し、このマガジンにより、前記締結具連結体における各締結具を一本ずつ前記打ち込みノーズにおける締結具装填部に順次送り込むように構成している。
【０００３】
【発明が解決しようとする課題】
この先行技術における打ち込み装置は、同公報に記載されているように、その打ち込みノーズの側面からこれに着脱自在に装着した前記マガジンが長く突出するという形態であることにより、狭い個所に対しては、このマガジンが邪魔になって釘を打ち込むことができないから、このような狭い個所に対する打ち込みに際しては、前記マガジンを取り外すようにしている。
【０００４】
しかし、先行技術の打ち込み装置においては、締結具連結体の全体をマガジンにて保持するという構成であることにより、マガジンを打ち込みノーズから取り外した状態では、前記締結具連結体を前記打ち込みノーズの個所に保持することができず、従って、前記締結具連結体における各締結具を一本ずつ切り離して、打ち込みノーズにおける締結具装填部に供給しなければならないから、これに多大の手数を必要とするという問題があった。
【０００５】
本発明は、この問題を解消した打ち込み装置を提供することを技術的課題とするものである。
【０００６】
【課題を解決するための手段】
本願発明が対象とする動力式打ち込み装置は、締結具打ち込み作動杆を設けた本体と、内部に締結具装填部が形成された打ち込みノーズとを備えており、前記打ち込みノーズに、複数本の締結具を連結具で保持しかつ連結具のうち隣り合った締結具の部分の側面に凹所が形成されている締結具連結体を前記打ち込みノーズの締結具装填部に向けて導入するシェアブロックが取り付けられており、更に、前記シェアブロックに、前記締結具連結体を前記打ち込みノーズの締結具装填部に順次送り込むマガジンが着脱自在に装着されており、前記マガジンに装填した締結具連結体がシェアブロックを介して打ち込みノーズの締結具装填部に送り込まれることにより、前記打ち込み作動杆によって締結具が一本ずつ打ち込まれるようになっており、かつ、前記マガジンをシェアブロックから取り外した状態でも締結具連結体をシェアブロックに装填して締結具の打ち込みを行えるものである。
【０００７】
そして、請求項１の発明は、前記シェアブロックに、前記連結具における両側面の凹所に嵌まり係合する押圧片を、ばね手段に抗して後退動し得るように設けており、前記押圧片により、締結具連結体を送り込みできる状態でシェアブロックに保持できるようになっている。
請求項２の発明は、請求項１において、前記押圧片の先端は半球形になっている。
【０００８】
【発明の作用・効果】
このように、シェアブロックに、締結具連結体の凹所に嵌まり係合する押圧片を設けたことにより、前記シェアブロックからマガジンを取り外した状態において、締結具連結体をシェアブロックの個所に確実に保持することができるから、この締結具連結体における先頭の締結具を締結具装填部に確実に供給できる。
【０００９】
従って、マガジンを取り外して狭い個所における打ち込みを行うに際して、前記先行技術のように、締結具連結体における各締結具を一本ずつ切り離して打ち込みノーズにおけ
る締結具装填部に供給することを採用することなく、締結具連結体の状態のままで狭い個所に対する打ち込みを行うことができるから、打ち込みに要する手数を大幅に低減できる効果を有する。
【００１０】
また、締結具連結体の締結具装填部への送り込みが容易にできる状態のもとで、締結具連結体を、シェアブロックの個所に、更に確実に、且つ、グラ付くことなく安定して保持することができる利点を有する。
【００１１】
【発明の実施の形態】
以下、本発明の実施の形態を、図３〜図７の図面について説明する。
【００１２】
この図において、符号１０は打ち込み装置の本体を示し、この本体１０には、中空状のノーズサポート１２と、この内部に軸線方向に摺動自在に挿入したパイプ状のノーズピース１３とから成る打ち込みノーズ１１が取付けられている。また、本体１０は、ガスの燃焼圧力等の動力にてノーズピース１３内をその先端の方向に前進突出動する打ち込み作動杆１４を備えており、打ち込みノーズ１１の締結具装填部１５に装填した釘等の締結具は、打ち込み作動杆１４の前進突出動にて相手部材１６に打ち込まれる。
【００１３】
また、打ち込みノーズ１１におけるノーズサポート１２の側面には、図１及び図２に示す締結具連結体１を締結具装填部１５に導入するシェアブロック１７が取付られ、このシェアブロック１７に、締結具連結体１を装填したマガジン１８が着脱自在に装着され、このマガジン１８に設けられている送り機構（図示せず）にて、締結具連結体１における各釘等の締結具２は締結具装填部１５に順次送り込まれる。
【００１４】
そして、シェアブロック１７のうちその内部における締結具連結体１の左右両側の部分に、先端を半球形又は円錐形にした押圧片１９を、当該押圧片１９の先端が締結具連結体１の連結具３における各締結具２の間の部分に形成されている凹所３ａに嵌まり込むように配設して、この各押圧片１９の各々を、ばね２０にて前記締結具連結体１に押圧している。
【００１５】
なお、各押圧片１９とそのばね２０とは、シェアブロック１７に螺合したねじ体２１の内部に組み込まれており、このため、締結具連結体１に対する押圧片１９の押圧力をねじ体２１のねじ込みにて調節できる。また、本実施の形態においては、押圧片１９及びそのばね２０を、図５に示すように、左右上下の四箇所に設けている。
【００１６】
この構成において、通常の打ち込みは、シェアブロック１７にマガジン１８に装着した状態で行う。
【００１７】
すなわち、図１〜図４に示すように、マガジン１８を、これに締結具連結体１を装填したのち打ち込みノーズ１１におけるシェアブロック１７に装着するか、或いは、マガジン１８をシェアブロック１７に装着したのちこのマガジン１８に締結具連結体１を装填することにより、締結具連結体１のうち先端における一つの締結具２が打ち込みノーズ１１の締結具装填部１５に供給されるから、この状態で打ち込み作動杆１４をガスの燃焼圧力等の動力にて前進突出動させることにより、締結具２を相手部材１６に打ち込むことができる。
【００１８】
この打ち込みが終わって打ち込み作動杆１４が元の位置まで後退動すると、締結具連結体１がマガジン１８における送り機構にて押圧されて、各押圧片１９をばね２０に抗して後退させながら送られることにより、締結具装填部１５には締結具連結体１の次の締結具２が自動的に供給される。
【００１９】
一方、狭い個所に対する打ち込みに際しては、図５及び図６に示すように、マガジン１８を打ち込みノーズ１１から取り外し、打ち込みノーズ１１におけるシェアブロック１７に、締結具連結体１を、矢印Ａで示すように、手で、前記各押圧片１９をそのばね２０に抗して後退しながら押し込み装填する。これにより、締結具連結体１の先端における一つの締結具２が打ち込みノーズ１１の締結具装填部１５に供給される共に、締結具装填部１５は各押圧片１９にて押し込み装填状態に保持される。従って、この状態で、打ち込み作動杆１４をガスの燃焼圧力等の動力にて前進突出動させることにより、前記締結具２を相手部材１６に打ち込むことができる。
【００２０】
この打ち込みが終わって打ち込み作動杆１４が元の位置まで後退動したら、締結具連結体１を矢印Ａで示すように手で押して、各押圧片１９をばね２０に抗して後退させながら更に締結具連結体１を押し込むことにより、締結具装填部１５に締結具連結体１における次の締結具２を供給することができる。
【００２１】
この場合において、各押圧片１９の先端の半球部又は円錐形部が、締結具連結体１を構成する連結具３の側面の凹所３ａに嵌まり係合していることにより、締結具連結体１を締結具装填部１５に容易に送り込みができる状態のもとで、締結具連結体１を、シェアブロック１７の個所にグラ付くことなく安定して保持することができる。
【図面の簡単な説明】
【図１】締結具連結体を示す正面図である。
【図２】図１のII−II視拡大断面図である。
【図３】打ち込み装置の要部を示す縦断正面図である。
【図４】図３のIV−IV視拡大断面図である。
【図５】図３のＶ−Ｖ視断面図である。
【図６】打ち込み装置においてマガジンを取り外した状態を示す図である。
【図７】図６のVII −VII 視断面図である。
【符号の説明】
１  締結具連結体
２  釘等の締結具
３  連結具
３ａ  凹所
１０  打ち込み装置の本体
１１  打ち込みノーズ
１２  ノーズサポート
１３  ノーズピース
１４  打ち込み作動杆
１５  締結具装填部
１７  シェアブロック
１８  マガジン
１９  押圧片
２０  ばね
２１  ねじ体
【図１】
0003844672.tif 000002
【図２】
0003844672.tif 000003
【図３】
0003844672.tif 000004
【図４】
0003844672.tif 000005
【図５】
0003844672.tif 000006
【図６】
0003844672.tif 000007
【図７】
0003844672.tif 000008